(57)【要約】【課題】取付部材の着脱構造において、簡単な構成で取付部材の脱着を容易且つ確実に行えるようにして耐久性を向上させる。【解決手段】ホルダー３（取付部材）を充電器本体４（被取付部材）に着脱自在に取り付ける。ホルダー３を可撓性を有する材料で形成し、先端に鉤部７を有する少なくとも一対の係止爪８と、充電器本体４に対して位置決めをする位置決めピン９とを設ける。充電器本体４に係止爪８の鉤部７が周縁に係止される係止孔５と、位置決めピン９が挿入される位置決め孔６とを設ける。ホルダー３を撓ませることで、鉤部７と係止孔５の周縁との係止を解除し、ホルダー３を充電器本体４から取り外すようにする。【選択図】図５
2010093368.tif 000002
【特許請求の範囲】
【請求項１】
取付部材を被取付部材に着脱自在に取り付ける取付部材の着脱構造において、
上記取付部材は、
可撓性を有する材料で形成され、
先端に鉤部を有する少なくとも一対の係止爪と、
上記被取付部材に対して位置決めをする位置決めピンと、
を備え、
上記被取付部材は、
上記係止爪の鉤部が周縁に係止される係止孔と、
上記位置決めピンが挿入される位置決め孔と、
を備え、
上記取付部材を撓ませることで、上記鉤部と上記係止孔の周縁との係止が解除され、上記取付部材を上記被取付部材から取り外し可能に構成されている
ことを特徴とする取付部材の着脱構造。
【請求項２】
請求項１に記載の取付部材の着脱構造において、
上記取付部材は、長尺形状を有し、
上記係止爪は、上記取付部材に対して略垂直に延び、上記鉤部は、長手方向外側へ突出して段部を形成し、該段部が上記係止孔の周縁と係止し、
上記取付部材の長手方向両端を上記被取付部材側へ押圧して該取付部材の中央部を該被取付部材から離れる方向に撓ませることにより、上記鉤部と上記係止孔周縁との係止が解除されるように構成されている
ことを特徴とする取付部材の着脱構造。
【請求項３】
請求項２に記載の取付部材の着脱構造において、
上記被取付部材の周縁は、上記取付部材側へ突出する突起が形成されている
ことを特徴とする取付部材の着脱構造。
【請求項４】
請求項２に記載の取付部材の着脱構造において、
上記被取付部材の周縁は、外側に向かって上記取付部材から離れるようにテーパ面が形成されている
ことを特徴とする取付部材の着脱構造。
【請求項５】
請求項１に記載の取付部材の着脱構造において、
上記取付部材は、長尺形状を有し、
上記被取付部材は、少なくとも一対の上記係止孔間が凹陥された接触回避用凹部を有し、
上記係止爪は、上記取付部材に対して略垂直に延び、上記鉤部は、長手方向内側へ突出して段部を形成し、該段部が上記係止孔の上記接触回避用凹部側の周縁と係止し、
上記取付部材の長手方向両端を上記被取付部材から離れる方向に引っ張って該取付部材の中央部を上記接触回避用凹部側へ膨らむように撓ませることにより、上記鉤部と上記係止孔周縁との係止が解除されるように構成されている
ことを特徴とする取付部材の着脱構造。
【請求項６】
請求項１乃至５のいずれか１つに記載の取付部材の着脱構造において、
上記取付部材は、ポリカーボネイト樹脂の成形品よりなる
ことを特徴とする取付部材の着脱構造。
【請求項７】
請求項１乃至６のいずれか１つに記載の取付部材の着脱構造において、
上記取付部材は、携帯端末のホルダーであり、
上記被取付部材は、上記携帯端末の充電器である
ことを特徴とする取付部材の着脱構造。
【請求項８】
請求項１乃至７のいずれか１つに記載の取付部材の着脱構造において、
上記取付部材は、上記携帯端末の長手方向に沿って延び、
上記取付部材に上記携帯端末の表示部を横長状態にして保持可能に構成されている
ことを特徴とする取付部材の着脱構造。
【発明の詳細な説明】
【技術分野】
【０００１】
本発明は、取付部材の着脱構造に関するものである。
【背景技術】
【０００２】
従来より、複数の部材を結合する際、取付部材に弾性を有する爪を設け、被取付部材に係止孔を設けて結合することは従来より一般的に行われている。
【０００３】
例えば特許文献１のように、バンパフェイシャに形成された開口部に装着されることにより、開口部を閉塞するカバー部材を有する開口部カバー構造が知られている。カバー部材の上側縁には、開口部周縁に係止する係止爪部を一体に設けると共に、上側縁と対向する下側縁には、押圧部を設け、係止爪部と押圧部との間には、押圧部の押圧によって、カバー部材を回動させて、係止爪部をカバー離脱方向に移動させる際に支点となる突当部を形成している。このこと、工具等を使用することなく、装脱着が行えるようにしている。
【特許文献１】特開２００３−２４６２４７号公報
【発明の開示】
【発明が解決しようとする課題】
【０００４】
しかしながら、上記特許文献１は、押圧部を押し、突当部を支点としてカバー部材を回転させると係止爪部は、開口部の外側に回転し、係止爪部はますます引っ掛かりが強くなり外れにくくなる。更に何度も取り外していると係止爪部の根元が疲労して破壊され易くなるという問題があった。
【０００５】
本発明は、かかる点に鑑みてなされたものであり、その目的とするところは、簡単な構成で取付部材の脱着を容易且つ確実に行えるようにして耐久性を向上させることにある。
【課題を解決するための手段】
【０００６】
上記の目的を達成するために、この発明では、位置決めピンで位置決めされた取付部材を撓ませることで、鉤部と係止孔の周縁との係止を解除できるようにした。
【０００７】
具体的には、第１の発明では、
取付部材を被取付部材に着脱自在に取り付ける取付部材の着脱構造において、
上記取付部材は、
可撓性を有する材料で形成され、
先端に鉤部を有する少なくとも一対の係止爪と、
上記被取付部材に対して位置決めをする位置決めピンと、
を備え、
上記被取付部材は、
上記係止爪の鉤部が周縁に係止される係止孔と、
上記位置決めピンが挿入される位置決め孔と、
を備え、
上記取付部材を撓ませることで、上記鉤部と上記係止孔の周縁との係止が解除され、上記取付部材を上記被取付部材から取り外し可能に構成されている。
【０００８】
上記の構成によると、位置決めピンにより、取付部材は、被取付部材の取付位置に正確に取り付けられ、係止爪の鉤部と係止孔の周縁とが確実に係止されるので、ネジなどで締め付ける必要がない。そして、取付部材を撓ませるときには、位置決めピンにより、取付部材の位置がずれることなく、決まった形状で取付部材が撓み、鉤部が確実に係止孔の周縁から外れる。このため、容易に取付部材が取り外されるので、係止爪及び係止孔に必要以上の力が加わらず、耐久性が高い。また、ネジ締結等をしていないので、取り外しが極めて容易である。
【０００９】
第２の発明では、第１の発明において、
上記取付部材は、長尺形状を有し、
上記係止爪は、上記取付部材に対して略垂直に延び、上記鉤部は、長手方向外側へ突出して段部を形成し、該段部が上記係止孔の周縁と係止し、
上記取付部材の長手方向両端を上記被取付部材側へ押圧して該取付部材の中央部を該被取付部材から離れる方向に撓ませることにより、上記鉤部と上記係止孔周縁との係止が解除されるように構成されている。
【００１０】
上記の構成によると、取付部材の長手方向両端を被取付部材側へ押圧すると、取付部材の中央部が被取付部材から離れる方向に撓み、それに伴って係止爪が回動する。このことで、鉤部と係止孔周縁との係止が解除され、取付部材の取り外しが可能となる。
【００１１】
第３の発明では、第２の発明において、
上記被取付部材の周縁は、上記取付部材側へ突出する突起が形成されている。
【００１２】
上記の構成によると、突起により、被取付部材の周縁と取付部材との間に隙間が確保されるので、被取付部材が取付部材の変形を阻害せず、取付部材の取り外しが容易である。
【００１３】
第４の発明では、第２の発明において、
上記被取付部材の周縁は、外側に向かって上記取付部材から離れるようにテーパ面が形成されている。
【００１４】
上記の構成によると、テーパ面により、被取付部材の周縁と取付部材との間に隙間が確保されるので、被取付部材が取付部材の変形を阻害せず、取付部材の取り外しが容易である。
【００１５】
第５の発明では、第１の発明において、
上記取付部材は、長尺形状を有し、
上記被取付部材は、少なくとも一対の上記係止孔間が凹陥された接触回避用凹部を有し、
上記係止爪は、上記取付部材に対して略垂直に延び、上記鉤部は、長手方向内側へ突出して段部を形成し、該段部が上記係止孔の上記接触回避用凹部側の周縁と係止し、
上記取付部材の長手方向両端を上記被取付部材から離れる方向に引っ張って該取付部材の中央部を上記接触回避用凹部側へ膨らむように撓ませることにより、上記鉤部と上記係止孔周縁との係止が解除されるように構成されている。
【００１６】
上記の構成によると、取付部材の長手方向両端を被取付部材から離れる方向に引っ張って取付部材の中央部を接触回避用凹部側へ膨らむように撓ませる。すると、接触回避用凹部が変形を阻害しないので、取付部材が十分に変形して係止爪が回動され、鉤部と係止孔の接触回避用凹部側周縁との係止が解除されるので、取付部材の取り外しが可能となる。
【００１７】
第６の発明では、第１乃至第５のいずれか１つの発明において、
上記取付部材は、ポリカーボネイト樹脂の成形品よりなる。
【００１８】
上記の構成によると、ポリカーボネイト樹脂は、耐衝撃性に優れているので、脱着を繰り返しても痛みにくく、寸法安定性に優れているので、寸法誤差により外れにくくなることはない。
【００１９】
第７の発明では、第１乃至第６のいずれか１つの発明において、
上記取付部材は、携帯端末のホルダーであり、
上記被取付部材は、上記携帯端末の充電器である。
【００２０】
上記の構成によると、ホルダーの脱着が容易であるので、購入時の組付や、廃棄時のリサイクルが容易である。
【００２１】
第８の発明では、第１乃至第７のいずれか１つの発明において、
上記取付部材は、上記携帯端末の長手方向に沿って延び、
上記取付部材に上記携帯端末の表示部を横長状態にして保持可能に構成されている。
【００２２】
上記の構成によると、組立及びリサイクルが容易でＴＶ視聴などが可能な商品性の高い充電器が得られる。
【発明の効果】
【００２３】
以上説明したように、本発明によれば、位置決めピンで位置決めされて被取付部材に取り付けられた取付部材を撓ませることで、鉤部と係止孔の周縁との係止を解除して取付部材を被取付部材から取り外すようにしたことにより、簡単な構成で取付部材の脱着を容易且つ確実に行えるようにして耐久性を向上させることができる。
【発明を実施するための最良の形態】
【００２４】
以下、本発明の実施形態を図面に基づいて説明する。
【００２５】
図１は、本発明の実施形態の取付部材の着脱構造１を備えた充電器２を示し、この充電器２は、取付部材としてのホルダー３が、被取付部材としての充電器本体４に着脱自在に構成されている。
【００２６】
図２に示すように、充電器２は、ホルダー３により、携帯端末としての携帯電話機２０を保持可能に構成されている。つまり、ホルダー３は、携帯電話機２０の長手方向に沿って延びる長尺形状を有し、長手方向両端部は手前側に湾曲し、携帯電話機２０の表示部２１を横長状態にして保持可能に構成されている。
【００２７】
充電器本体４は、上側にホルダー３が取り付けられると共に、ホルダー３に保持された携帯電話機２０が収容される電話機収容部４ａが凹陥されている。充電器本体４の下端には、充電器本体４を適度に傾斜させた状態で倒れないようにするための脚部４ｂが後方に延びている。
【００２８】
図３にも示すように、電話機収容部４ａの下側にはこの電話機収容部４ａよりも若干凹んだホルダー取付用凹部４ｃが形成されている。ホルダー取付用凹部４ｃの左右外側周縁は、外側に向かってホルダー３から離れるようにテーパ面４ｄ（図５に示す）が形成されている。ホルダー取付用凹部４ｃには、左右に間隔をあけて二対の係止孔５が形成されている。係止孔５は矩形状の開口よりなり、下側の係止孔５は、上側の係止孔５よりも大きさが大きくなっている。上側の係止孔５の間には、左右に間隔をあけて一対の位置決め孔６が形成されている。位置決め孔６は、円形の孔よりなる。
【００２９】
図４及び図５に示すように、ホルダー３は、可撓性を有する材料で成形され、例えば、ポリカーボネイト樹脂の成形品よりなる。ホルダー３は、先端に鉤部７を有する二対の係止爪８を有している。係止爪８は、ホルダー３に対して略垂直に延び、鉤部７は、長手方向外側へ突出して段部７ａを形成している。下側の係止孔５が上側の係止孔５よりも大きいのに合わせて、下側の係止爪８の根元は、上側の係止爪８の根元よりも太くなっている。また、ホルダー３は、充電器本体４に対して位置決めをする一対の位置決めピン９を備えている。段部７ａが係止孔５の左右外側周縁と係止するように構成されている。
【００３０】
このように構成することで、ホルダー３の長手方向両端を充電器本体４側へ押圧してホルダー３の中央部を充電器本体４から離れる方向に撓ませることにより、鉤部７と係止孔５の左右外側周縁との係止が解除され、ホルダー３を充電器本体４から取り外し可能に構成されている。
【００３１】
−作用−
次に、本実施形態にかかるホルダー３の着脱構造１の作動について説明する。
【００３２】
充電器本体４とホルダー３とは、別々の部品として組み付けない状態で梱包される。充電器２の使用時にユーザーはホルダー３を充電器本体４に取り付ける。
【００３３】
まず、図５（ａ）に示すように、位置決めピン９を位置決め孔６に合うように、係止爪８を係止孔５に挿入する。このとき、下側の係止孔５は、上側の係止孔５よりも大きさが大きくなっているので、上下逆にホルダー３を取り付けようとすると、係止爪８が嵌り込まないので、上下を間違えて取り付けることはない。また、位置決めピン９により、ホルダー３は、充電器本体４の取付位置に正確に取り付けられ、係止爪８の鉤部７と係止孔５の左右外側周縁とが確実に係止されるので、ネジなどで締め付ける必要がない。
【００３４】
図２に示すように、ホルダー３を取り付けた状態で、ホルダー３に携帯電話機２０の表示部２１を横長状態にして保持する。すると、通電しながらの長時間のＴＶ視聴に便利である。
【００３５】
一方、充電器２を収納するときや、リサイクルするときには、ホルダー３を充電器本体４から取り外す。
【００３６】
まず、図５（ｂ）に白抜き矢印で示すように、ホルダー３の左右両端を充電器本体４側へ左右均等の力で撓ませる。このとき、位置決めピン９により、ホルダー３の位置がずれることなく、決まった形状でホルダー３が撓む。
【００３７】
更に力を加えると、図５（ｃ）に示すように、ホルダー３が左右中央が充電器本体４から離れるように弓なりに撓む。このとき、テーパ面４ｄにより、充電器本体４の左右周縁とホルダー３との間に隙間が確保されているので、ホルダー３が変形しやすい。ホルダー３の変形に伴って、係止爪８が回動され、鉤部７が係止孔５の左右外側周縁から確実に外れる。このため、容易にホルダー３が取り外されるので、係止爪８及び係止孔５に必要以上の力が加わらず、耐久性が高い。また、ネジ締結等をしていないので、取り外しが極めて容易である。
【００３８】
また、ホルダー３は、ポリカーボネイト樹脂よりなるので、耐衝撃性に優れ、脱着を繰り返しても痛みにくく、寸法安定性に優れているので、寸法誤差により外れにくくなることはない。
【００３９】
このように、ホルダー３の脱着が容易であるので、購入時の組付や、廃棄時のリサイクルが容易であると共に、ＴＶ視聴などが可能な商品性の高い充電器２が得られる。
【００４０】
−実施形態の効果−
したがって、本実施形態にかかるホルダー３の着脱構造１によると、位置決めピン９で位置決めされて充電器本体４に取り付けられたホルダー３を撓ませることで、鉤部７と係止孔５の左右外側周縁との係止を解除してホルダー３を充電器本体４から取り外すようにしたことにより、簡単な構成でホルダー３の脱着を容易且つ確実に行えるようにして耐久性を向上させることができる。
【００４１】
−実施形態の変形例−
上記実施形態では、充電器本体１０４の左右周縁にテーパ面４ｄを形成したが、図６に示すように、本変形例の着脱構造１０１では、ホルダー３側へ突出する突起１０４ｄを形成している。この場合には、突起１０４ｄにより、充電器本体１０４の左右周縁とホルダー３との間に隙間が確保される。このため、図６に示すように、充電器本体１０４がホルダー３の変形を阻害しないので、ホルダー３の取り外しが容易に行われる。
【００４２】
（その他の実施形態）
本発明は、上記実施形態について、以下のような構成としてもよい。
【００４３】
すなわち、図７（ａ）に示すように、その他の実施形態にかかる着脱構造２０１では、充電器本体２０４は、上下二対の係止孔２０５間に接触回避用凹部２０４ｄが凹陥されている。そして、係止爪２０８は、ホルダー２０３に対して略垂直に延び、鉤部２０７は、左右内側へ突出して段部２０７ａを形成している。段部２０７ａは、係止孔２０５の接触回避用凹部２０４ｄ側（左右内側）の周縁と係止するように構成されている。この実施形態では、位置決めピン２０９の外形よりも位置決め孔２０６の内径が大きく、ホルダー２０３の変形時に位置決めピン２０９が回動しやすくなるように隙間ｃが設けられている。図７（ｂ）に示すように、ホルダー２０３の長手方向両端を充電器本体２０４から離れる方向に引っ張ってホルダー２０３の中央部を接触回避用凹部２０４ｄ側へ膨らむように撓ませる。すると、接触回避用凹部２０４ｄがホルダー２０３の変形を阻害しないので、ホルダー２０３が十分に変形して係止爪２０８が回動され、鉤部２０７と係止孔２０５の左右内側周縁との係止が解除される。
【００４４】
上記実施形態では、携帯端末は、携帯電話機としたが、ＰＨＳ、ＰＤＡ、ＰＣ、モバイルツール、電子辞書、電卓、ゲーム機等であってもよい。
【００４５】
更に、上記実施形態では、取付部材はホルダーとし、被取付部材は充電器本体としたが、それに限定されず、可撓性材料で成形された取付部材の着脱構造は、種々の分野で適用可能である。
【００４６】
なお、以上の実施形態は、本質的に好ましい例示であって、本発明、その適用物や用途の範囲を制限することを意図するものではない。
【図面の簡単な説明】
【００４７】
【図１】本発明の実施形態にかかる充電器の斜視図である。
【図２】充電器に携帯電話機を保持した状態を示す斜視図である。
【図３】ホルダー取付用凹部及びその周辺の拡大斜視図である。
【図４】ホルダーを拡大して示し、（ａ）が斜視図で、（ｂ）が正面図で、（ｃ）が平面図である。
【図５】充電器の断面図であり、（ａ）がホルダーの取り付け状態で、（ｂ）がホルダーを撓ませ始めた状態で、（ｃ）が更にホルダーを撓ませた状態を示す。
【図６】実施形態の変形例を示す図５相当図である。
【図７】その他の実施形態にかかる充電器の断面図であり、（ａ）がホルダーの取り付け状態で、（ｂ）がホルダーを撓ませた状態を示す。
【符号の説明】
【００４８】
１      取付部材の着脱構造
３      ホルダー（取付部材）
４      充電器本体（被取付部材）
４ｄ    テーパ面
５      係止孔
６      位置決め孔
７      鉤部
７ａ    段部
８      係止爪
９      位置決めピン
２０      携帯電話機（携帯端末）
１０１      取付部材の着脱構造
１０４      充電器本体（被取付部材）
１０４ｄ    突起
２０１      取付部材の着脱構造
２０３      ホルダー（取付部材）
２０４      充電器本体（被取付部材）
２０４ｄ    接触回避用凹部
２０５      係止孔
２０６      位置決め孔
２０７      鉤部
２０７ａ    段部
２０８      係止爪
２０９      位置決めピン
【図１】
2010093368.tif 000003
【図２】
2010093368.tif 000004
【図３】
2010093368.tif 000005
【図４】
2010093368.tif 000006
【図５】
2010093368.tif 000007
【図６】
2010093368.tif 000008
【図７】
2010093368.tif 000009